(57)【要約】【課題】戸開釦を操作する時、近い位置に戸閉釦が並んでいるため、とっさの場合に操作が遅れたり、戸閉釦の方を誤って操作する問題があった。戸開釦を乗客が判別しやすくしたエレベータの戸開閉装置を得る。【解決手段】かご操作盤に設けられた戸閉釦３と、この戸閉釦の左右両側に位置するように前記かご操作盤にそれぞれ設けられた少なくとも２個の戸開釦１、２と、この戸開釦のいずれか一つを操作しても戸を開くように制御する戸開閉制御手段１３とを備える。また、戸開釦１、２のいずれかを操作したとき、各戸開釦の戸開機能がそれぞれ異なるように動作制御する戸開閉制御手段を備える。【選択図】      図１
2005029289.tif 000002
【特許請求の範囲】
【請求項１】
かご操作盤に設けられた戸閉釦と、この戸閉釦の左右両側に位置するように前記かご操作盤にそれぞれ設けられた少なくとも２個の戸開釦と、この戸開釦のいずれか一つを操作しても戸を開くように制御する戸開閉制御手段とを備えたことを特徴とするエレベータの戸開閉装置。
【請求項２】
かご操作盤に設けられた戸閉釦と、この戸閉釦の左右両側に位置するように前記かご操作盤にそれぞれ設けられた少なくとも２個の戸開釦と、この戸開釦のいずれかを操作したとき、各戸開釦の戸開機能がそれぞれ異なるように動作制御する戸開閉制御手段とを備えたことを特徴とするエレベータの戸開閉装置。
【請求項３】
戸開閉制御手段は、一方の戸開釦を操作すると戸を全開する機能を持ち、かつ他方の戸開釦を操作している間のみ戸を開く機能を持つことを特徴とする請求項２記載のエレベータの戸開閉装置。
【請求項４】
戸開閉制御手段は、一方の戸開釦を操作すると戸を通常の速度で全開する機能を持ち、かつ他方の戸開釦を操作すると遅い速度で戸を全開する機能を持つことを特徴とする請求項２記載のエレベータの戸開閉装置。
【請求項５】
戸開閉制御手段は、一方の戸開釦を操作すると戸を全開した後、直ちに戸を閉める機能を持ち、かつ他方の戸開釦を操作すると戸を全開した後、所定時間経過後に戸を閉める機能を持つことを特徴とする請求項２記載のエレベータの戸開閉装置。
【請求項６】
戸開閉制御手段は、一方の戸開釦を操作すると戸を全開した後、通常の速度で戸を閉める機能を持ち、かつ他方の戸開釦を操作すると戸を全開した後、遅い速度で戸を閉める機能を持つことを特徴とする請求項２記載のエレベータの戸開閉装置。
【発明の詳細な説明】
【０００１】
【発明の属する技術分野】
この発明は、かご操作盤に設けられた戸開閉釦によりエレベータの戸を開閉するエレベータの戸開閉装置に関するものである。
【０００２】
【従来の技術】
従来のエレベータの戸開閉装置は、かご操作盤に戸開閉釦が各々一つ宛設けられていた（例えば、特許文献１参照）。また、かご操作盤に戸閉釦を設け、かご操作盤以外の場所に戸開釦を設けたものがある（例えば、特許文献２参照）。
【０００３】
【特許文献１】
特開２００１−３３５２５０号公報
【特許文献２】
特開２００１−８０８５８号公報
【０００４】
【発明が解決しようとする課題】
従来のエレベータの戸開閉装置では、戸が閉まりつつあるときに、戸が人や物に当りそうになり、乗客が不安を感じて戸を反転させたい場合、戸開釦を操作するが、戸開釦に近い位置に戸閉釦も並んで設けられているため、とっさの場合には、どちらが戸開釦なのか判別しにくく操作が遅れたり、戸閉釦の方を誤って操作するという問題点があった。また、特許文献２記載のものでは、戸閉釦と戸開釦とを間違えて操作する問題は低減されるが、戸開釦がかご操作盤から離れた場所にあるので、乗客が認識しにくいという課題がある。
【０００５】
この発明は、上述のような課題を解決するためになされたもので、第１の目的は、戸開釦を乗客が判別しやすくしたエレベータの戸開閉装置を提供するものである。
【０００６】
【課題を解決するための手段】
この発明に係るエレベータの戸開閉装置は、かご操作盤に設けられた戸閉釦と、この戸閉釦の左右両側に位置するように前記かご操作盤にそれぞれ設けられた少なくとも２個の戸開釦と、この戸開釦のいずれか一つを操作しても戸を開くように制御する戸開閉制御手段とを備えたものである。
【０００７】
また、かご操作盤に設けられた戸閉釦と、この戸閉釦の左右両側に位置するように前記かご操作盤にそれぞれ設けられた少なくとも２個の戸開釦と、この戸開釦のいずれかを操作したとき、各戸開釦の戸開機能がそれぞれ異なるように動作制御する戸開閉制御手段とを備えたものである。
【０００８】
【発明の実施の形態】
実施の形態１．
図１及び図２はこの発明の実施の形態１におけるエレベータの戸開閉装置の戸開閉釦の配置構成を示す正面図、図３及び図４はこの発明の実施の形態１におけるエレベータの戸開閉装置のシステム構成を示すブロック図、図５はこの発明の実施の形態１におけるエレベータの戸開閉装置の動作を説明するためのフローチャートである。
図１〜図４において、エレベータのかごに設けられたかご操作盤には、少なくとも２個の戸開釦１、２と、１個の戸閉釦３が設けられている。すなわち、中央に設けられた１個の戸閉釦３の左右両側に近接して戸開釦１、２が分かれて配置されている。エレベータの戸開閉装置は、かご内のかご釦４が操作されたとき、かご呼びを登録するかご呼登録手段５と、乗場の上方向釦・下方向釦からなる乗場釦６が操作されたとき、乗場呼びを登録する乗場呼登録手段７と、車椅子などの利用者の便宜を図るためにかご内に設けられた専用かご釦８が操作されたとき、専用かご呼びを登録する専用かご呼登録手段９と、車椅子などの利用者の便宜を図るために乗場に設けられた専用乗場釦１０が操作されたとき、専用乗場呼びを登録する専用乗場呼登録手段１１と、戸開、戸閉を判別する戸開閉判別手段１２と、ドアモータ（図示せず）を制御して戸開閉させる戸開閉制御装置１３とを備えている。また、戸開閉装置の一部は、入力回路１４ａ、ＣＰＵ１４ｂ、メモリ１４ｃ、出力回路１４ｄから成るマイクロコンピュータ１４で構成されている。
【０００９】
次に、図５によりこの発明の実施の形態１におけるエレベータの戸開閉装置の動作を説明する。
かごが走行中、かご呼び又は乗場呼びに応答した場合、或いはかごが停止している階の乗場呼びが登録されてこれに応答した場合、ステップＳ１からステップＳ２に進み、戸を全開する。次に、ステップＳ３に進み、所定時間、例えば５秒程度経過すればステップＳ５により戸を閉める。ステップＳ３で所定時間の５秒が経過していなければ、ステップＳ４に進む。ここで戸閉釦３が操作されれば、ステップＳ５に進み、そうでなければステップＳ３に戻る。ステップＳ５で戸を閉め、ステップＳ６に進み、一方の戸開釦１が操作されれば、ステップＳ７に進み、戸を全開し、ステップＳ８にて戸が全開すればステップＳ５に戻る。ステップＳ６で戸開釦１が操作されなければ、ステップＳ９に進み、もう一方の戸開釦２が操作されれば、ステップＳ１０に進み、戸を全開し、ステップＳ１１にて戸が全開すればステップＳ５に戻る。ステップＳ９で戸開釦２が操作されなければ、ステップＳ１２に進み、戸全閉すれば、終了する。
【００１０】
この実施の形態１によれば、戸開釦１、２を戸閉釦３の外側に各々分けて設けることによって、戸を外側に開くときは外側の戸開釦１、２を操作することになり、戸を内側に閉めるときは内側の戸閉釦を操作することになるので、視覚的にも分かり易くなり、操作遅れや、操作誤りが少なくなる。
【００１１】
実施の形態２．
図６はこの発明の実施の形態２におけるエレベータの戸開閉装置の動作を説明するためのフローチャートである。
かごが走行中、かご呼び又は乗場呼びに応答した場合、或いはかごが停止している階の乗場呼びが登録されてこれに応答した場合、ステップＳ１からステップＳ２に進み、戸を全開する。次に、ステップＳ３に進み、所定時間、例えば５秒程度経過すればステップＳ５により戸を閉める。ステップＳ３で所定時間の５秒が経過していなければ、ステップＳ４に進む。ここで戸閉釦３が操作されれば、ステップＳ５に進み、そうでなければステップＳ３に戻る。ステップＳ５で戸を閉め、ステップＳ６に進み、一方の戸開釦１が操作されれば、ステップＳ７に進み、戸を全開し、ステップＳ８にて戸が全開すればステップＳ５に戻る。ステップＳ６で戸開釦１が操作されなければ、ステップＳ９に進み、もう一方の戸開釦２が操作されれば、ステップＳ１３に進み、戸開釦２が操作されている間は戸を開いておく。戸開釦２が操作されなくなれば、ステップＳ１４からステップＳ５に戻る。ステップＳ９で戸開釦２が操作されなければ、ステップＳ１２に進み、戸全閉すれば、終了する。
【００１２】
この実施の形態２によれば、二種類の戸開釦のうちの一方に操作すると戸を全開する機能を持たせ、戸開釦のうちの他方には操作している間のみ戸を開く機能を持たせることができる。
【００１３】
実施の形態３．
図７はこの発明の実施の形態３におけるエレベータの戸開閉装置の動作を説明するためのフローチャートである。
かごが走行中、かご呼び又は乗場呼びに応答した場合、或いはかごが停止している階の乗場呼びが登録されてこれに応答した場合、ステップＳ２１からステップＳ２２に進み、戸を通常の速度で全開する。次に、ステップＳ２３に進み、所定時間、例えば５秒程度経過すればステップＳ２５により戸を閉める。ステップＳ２３で所定時間の５秒が経過していなければ、ステップＳ２４に進む。ここで戸閉釦３が操作されれば、ステップＳ２５に進み、そうでなければステップＳ２３に戻る。ステップＳ２５で戸を閉め、ステップＳ２６に進み、一方の戸開釦１が操作されれば、ステップＳ２７に進み、戸を通常の速度で全開し、ステップＳ２８にて戸が全開すればステップＳ２５に戻る。ステップＳ２６で戸開釦１が操作されなければ、ステップＳ２９に進み、もう一方の戸開釦２が操作されれば、ステップＳ３０に進み、戸を遅い速度、例えば通常の速度の５０％で開く。ステップＳ３１にて戸が全開すればステップＳ５に戻る。ステップＳ２９で戸開釦２が操作されなければ、ステップＳ３２に進み、戸全閉すれば、終了する。
【００１４】
この実施の形態３によれば、二種類の戸開釦のうちの一方に操作すると戸を通常の速度で全開する機能を持たせ、戸開釦のうちの他方には通常の速度より遅い速度で戸を全開する機能を持たせることができる。
【００１５】
実施の形態４．
図８はこの発明の実施の形態４におけるエレベータの戸開閉装置の動作を説明するためのフローチャートである。
かごが走行中、かご呼び又は乗場呼びに応答した場合、或いはかごが停止している階の乗場呼びが登録されてこれに応答した場合、ステップＳ４１からステップＳ４２に進み、戸を全開する。次に、ステップＳ４３に進み、所定時間、例えば５秒程度経過すればステップＳ４５により戸を閉める。ステップＳ４３で所定時間の５秒が経過していなければ、ステップＳ４４に進む。ここで戸閉釦３が操作されれば、ステップＳ４５に進み、そうでなければステップＳ４３に戻る。ステップＳ４５で戸を閉め、ステップＳ４６に進み、一方の戸開釦１が操作されれば、ステップＳ４７に進み、戸を全開し、ステップＳ４８にて戸が全開すれば直ちにステップＳ４５に戻る。ステップＳ４６で戸開釦１が操作されなければ、ステップＳ４９に進み、もう一方の戸開釦２が操作されれば、ステップＳ５０に進み、戸を全開する。ステップＳ５１にて戸が全開すればステップＳ５２に進み、所定時間、例えば２秒程度経過すれば、ステップＳ４５に戻る。ステップＳ４９で戸開釦２が操作されなければ、ステップＳ５３に進み、戸全閉すれば、終了する。
【００１６】
この実施の形態４によれば、二種類の戸開釦のうちの一方に操作すると戸を全開した後、直ちに閉める機能を持たせ、戸開釦のうちの他方には戸を全開した後、所定時間後に閉める機能を持たせることができる。
【００１７】
実施の形態５．
図９はこの発明の実施の形態５におけるエレベータの戸開閉装置の動作を説明するためのフローチャートである。
かごが走行中、かご呼び又は乗場呼びに応答した場合、或いはかごが停止している階の乗場呼びが登録されてこれに応答した場合、ステップＳ６１からステップＳ６２に進み、戸を全開する。次に、ステップＳ６３に進み、所定時間、例えば５秒程度経過すればステップＳ６５により戸を閉める。ステップＳ６３で所定時間の５秒が経過していなければ、ステップＳ６４に進む。ここで戸閉釦３が操作されれば、ステップＳ６５に進み、そうでなければステップＳ６３に戻る。ステップＳ６５で戸を閉め、ステップＳ６６に進み、一方の戸開釦１が操作されれば、ステップＳ６７に進み、戸を全開し、ステップＳ６８にて戸が全開すれば、ステップＳ６９にて次の戸閉速度を通常に設定し、ステップＳ６５に戻る。ステップＳ６６で戸開釦１が操作されなければ、ステップＳ７０に進み、もう一方の戸開釦２が操作されれば、ステップＳ７１に進み、戸を全開する。戸が全開すればステップＳ７２からステップＳ７３に進み、次の戸閉速度を遅く、例えば通常の速度の５０％に設定し、ステップＳ６５に戻る。ステップＳ７０で戸開釦２が操作されなければ、ステップＳ７４に進み、戸全閉すれば、終了する。
【００１８】
この実施の形態５によれば、二種類の戸開釦のうちの一方に操作すると戸を全開した後、通常の速度で閉める機能を持たせ、戸開釦のうちの他方には戸を全開した後、遅い速度で閉める機能を持たせることができる。
【００１９】
なお、固定された利用客の多い集合住宅などにおいては、エレベータの機能を周知し易いため、実施の形態２〜実施の形態５のように、二種類の戸開釦に異なる機能を持たせることにより、効果を上げることができる。この場合は図２に示すように、一方の戸開釦１を開Ａ、他方の戸開釦２を開Ｂと表示すると分かり易い。また、実施の形態２は急ぐ乗客のために、実施の形態３及び５は戸の近辺にいる他の乗客のために、実施の形態４は荷物の出し入れのために効果がある。
以上の説明では、戸開釦を少なくとも２個、戸閉釦を１個設ける場合について記述したが、戸開釦を１個、戸閉釦を少なくとも２個設けて、各戸閉釦の戸閉め機能を、例えば戸閉速度が異なるように設定しても良い。
【００２０】
【発明の効果】
この発明は以上説明したように、かご操作盤に設けられた戸閉釦と、この戸閉釦の左右両側に位置するように前記かご操作盤にそれぞれ設けられた少なくとも２個の戸開釦と、この戸開釦のいずれか一つを操作しても戸を開くように制御する戸開閉制御手段とを備えているので、戸を外側に開くときは外側の戸開釦を操作し、戸を内側に閉めるときは内側の戸閉釦を操作することになり、視覚的にも分かり易くなり、操作遅れや、操作誤りが少なくなる効果がある。
また、少なくとも２個の戸開釦のいずれかを操作したとき、各戸開釦の戸開機能がそれぞれ異なるように動作制御する戸開閉制御手段とを備えているので、固定された利用客の多い集合住宅などにおいては、エレベータの機能を周知し易いため特に効果を上げることができる。
【図面の簡単な説明】
【図１】この発明の実施の形態１におけるエレベータの戸開閉装置の戸開閉釦の構成を示す正面図である。
【図２】この発明の実施の形態１におけるエレベータの戸開閉装置の戸開閉釦の構成を示す正面図である。
【図３】この発明の実施の形態１におけるエレベータの戸開閉装置のシステム構成を示すブロック図である。
【図４】この発明の実施の形態１におけるエレベータの戸開閉装置のシステム構成を示すブロック図である。
【図５】この発明の実施の形態１におけるエレベータの戸開閉装置の動作を説明するためのフローチャートである。
【図６】この発明の実施の形態２におけるエレベータの戸開閉装置の動作を説明するためのフローチャートである。
【図７】この発明の実施の形態３におけるエレベータの戸開閉装置の動作を説明するためのフローチャートである。
【図８】この発明の実施の形態４におけるエレベータの戸開閉装置の動作を説明するためのフローチャートである。
【図９】この発明の実施の形態５におけるエレベータの戸開閉装置の動作を説明するためのフローチャートである。
【符号の説明】
１  戸開釦Ａ
２  戸開釦Ｂ
３  戸閉釦
４  かご釦
５  かご呼登録手段
６  乗場釦
７  乗場呼登録手段
８  専用かご釦
９  専用かご呼登録手段
１０  専用乗場釦
１１  専用乗場呼登録手段
１２  戸開閉判別手段
１３  戸開閉制御装置
１４  マイクロコンピュータ
１４ａ  入力回路
１４ｂ  ＣＰＵ
１４ｃ  メモリ
１４ｄ  出力回路
【図１】
2005029289.tif 000003
【図２】
2005029289.tif 000004
【図３】
2005029289.tif 000005
【図４】
2005029289.tif 000006
【図５】
2005029289.tif 000007
【図６】
2005029289.tif 000008
【図７】
2005029289.tif 000009
【図８】
2005029289.tif 000010
【図９】
2005029289.tif 000011